(57)【要約】【課題】  保管時には、太陽電池パネルをケース内に収容して太陽電池パネルの破損を防ぎ、使用時には、複数の太陽電池パネルを簡単に拡げ、受光面積を十分確保することができる可搬型太陽光発電装置を提供する。【解決手段】  複数の太陽電池パネル２２、２４が折りたたまれて収容された蓋部１０ｂと、複数の太陽電池パネル２１、２３が折りたたまれて収容された本体部１０ａとを、ヒンジ１０ｃを介して開閉可能なケース１０とし、ケース１０内に制御部と蓄電池及びインバーターを内蔵し、蓄電池は、太陽電池パネル２１〜２４を広げた状態で発電した電流を充電する。【選択図】    図５
2013153008.tif 000002
【特許請求の範囲】
【請求項１】
複数の太陽電池パネルが折りたたまれて収容された蓋部と、複数の太陽電池パネルが折りたたまれて収容された本体部とを、ヒンジを介して開閉可能なケースとし、前記ケース内に制御部と蓄電池及びインバーターを内蔵し、前記蓄電池は、前記太陽電池パネルを広げた状態で発電した電流を充電することを特徴とする可搬型太陽光発電装置。
【請求項２】
前記複数の太陽電池パネルは、ヒンジにより接続され、太陽電池パネルの受光面側が向かい合うように折りたたまれて前記蓋部と、本体部にそれぞれ収容されることを特徴とする請求項１に記載の可搬型太陽光発電装置。
【請求項３】
前記複数の太陽電池パネルは、ヒンジにより接続され、太陽電池パネルの受光面側が向かい合うように折りたたまれ、その上に、太陽電池パネルの裏面側が向かい合うように折りたたまれていることを特徴とする請求項１に記載の可搬型太陽光発電装置。
【請求項４】
前記蓋部の底部と最下部に位置する太陽光パネルとの間、前記本体部の底部と最下部に位置する太陽光パネルとの間に、それぞれ弾性部材が設けられ、折りたたまれた太陽電池パネルを前記弾性部材の付勢力により、前記蓋部、本体部の開口部方向へ付勢することを特徴とする請求項１〜請求項３のいずれか１項に記載の可搬型太陽光発電装置。
【請求項５】
前記ケースにキャスターと取手が備えられていることを特徴とする請求項１〜請求項４のいずれか１項に記載の可搬型太陽光発電装置。
【発明の詳細な説明】
【技術分野】
【０００１】
この発明は、電力供給源の無い場所で使用でき、簡単に持ち運びができる可搬型太陽光発電装置に関するものである。
【背景技術】
【０００２】
従来、災害時の非常用電源やキャンプなどの野外活動など商用電源が使用できない場所に用いる電源装置として、種々の可搬型太陽光発電装置が提案されている。
【０００３】
従来の可搬型太陽光発電装置として、特許文献１に示すものが提案されている。この装置は、一軸線回りに回動可能に連結され、太陽電池パネル（ソーラーパネル）をそれぞれ収容するケース本体と蓋部とを有する単一トランク型のケースを備え、ケース本体内には、各太陽電池パネルにより発電された電力を充電するバッテリーと、このバッテリーによる充電を制御するコントローラと、前記バッテリーに充電された電力を交流に変換して外部に給電するインバーターとが固定され、前記ケース本体の側壁には、外部から差し込み可能な形態でインバーターと電気的に接続された電源供給用のコンセントと、持ち運び用の取手とを備えている。
【０００４】
上記した太陽光発電装置は、トランク型の可搬型構成であり、持ち運びが大変便利であるものの、ケース本体と蓋部に太陽電池パネルをそれぞれ設けているだけであるので、太陽電池パネルの受光面積が小さいため、充電量が多くとれないという課題があった。また、太陽電池パネルを大きくすると、ケースも大きくなり、重量が嵩み、持ち運びに支障を来す虞があった。
【０００５】
一方、特許文献２には、ストッパ付きキャスターと長さ調整可能な取手が備えてある旅行用のスーツケースに太陽発電部及び電源を内部に設けた装置が提案されている。そして、太陽電池パネル部の受光面の総面積をできるだけ大きくするために、太陽電池パネル部は、多重に折りたためる複数の太陽電池パネル、例えば４枚の太陽電池パネルを配置することが記載されている。
【０００６】
上記特許文献２に記載された装置においては、キャスターと取手を備えたスーツケースに太陽発電部及び電源を設けているので、これらの重量が嵩んでもキャスターにより、移動は容易に行うことができる。
【先行技術文献】
【特許文献】
【０００７】
【特許文献１】特許第４１６２６９６号公報
【特許文献２】特開２０１１-５４９４３号公報
【発明の概要】
【発明が解決しようとする課題】
【０００８】
上記した特許文献２に記載のものでは、複数の太陽電池パネルを折りたたんでケースに設けると記載されているが、具体的にどのようにケースに取り付けるかは開示されていない。上記公報の図１及び図３を参照すると、フロントカバーの外側に太陽電池パネルを固定している。このため、装置を使用しない場合には、太陽電池パネルが外部に露出したままであり、保管時に太陽電池パネルが他の部材と当たり、太陽電池パネルが破損する虞がある。
【０００９】
この発明の目的は、上記した従来の問題を解決するためになされたものにして、保管時には、太陽電池パネルをケース内に収容して太陽電池パネルの破損を防ぎ、使用時には、複数の太陽電池パネルを簡単に拡げ、受光面積を十分確保することができる可搬型太陽光発電装置を提供することにある。
【課題を解決するための手段】
【００１０】
この発明は、複数の太陽電池パネルが折りたたまれて収容された蓋部と、複数の太陽電池パネルが折りたたまれて収容された本体部とを、ヒンジを介して開閉可能なケースとし、前記ケース内に制御部と蓄電池及びインバーターを内蔵し、前記蓄電池は、前記太陽電池パネルを広げた状態で発電した電流を充電することを特徴とする。
【００１１】
前記複数の太陽電池パネルは、ヒンジにより接続され、太陽電池パネルの受光面側が向かい合うように折りたたまれて前記蓋部と、本体部にそれぞれ収容するように構成すればよい。
【００１２】
また、前記複数の太陽電池パネルは、ヒンジにより接続され、太陽電池パネルの受光面側が向かい合うように折りたたまれ、その上に、太陽電池パネルの裏面側が向かい合うように折りたたまれて前記蓋部と、本体部にそれぞれ収容するように構成することができる。
【００１３】
前記蓋部の底部と最下部に位置する太陽光パネルとの間、前記本体部の底部と最下部に位置する太陽光パネルとの間に、それぞれ弾性部材が設けられ、折りたたまれた太陽電池パネルを前記弾性部材の付勢力により、前記蓋部、本体部の開口部方向へ付勢するように構成するとよい。
【００１４】
前記ケースにキャスターと取手を備えるとよい。
【発明の効果】
【００１５】
この発明によれば、保管時には、太陽電池パネルをケース内に収容して太陽電池パネルの破損を防ぎ、使用時には、複数の太陽電池パネルを簡単に拡げ、受光面積を十分確保することができる。
【図面の簡単な説明】
【００１６】
【図１】可搬型太陽光発電装置の蓋部を開けた時の外観平面図である。
【図２】同本体部の太陽電池パネルを取り外した時の外観平面図である。
【図３】可搬型太陽光発電装置の蓋部を閉じた状態の外観側面図である。
【図４】この発明の可搬型太陽光発電装置の回路ブロック図である。
【図５】この発明の実施形態にかかる可搬型太陽光発電装置の使用状態の外観平面図である。
【図６】この発明の実施形態にかかる可搬型太陽光発電装置の蓋部を開けた時の概略断面図である。
【図７】この発明の実施形態にかかる可搬型太陽光発電装置の蓋部を開け、太陽電池パネルを開けた時の概略断面図である。
【図８】この発明の他の実施形態にかかる可搬型太陽光発電装置の使用状態の外観平面図である。
【図９】この発明の他の実施形態にかかる可搬型太陽光発電装置の蓋部を開けた時の概略断面図である。
【図１０】この発明の他の実施形態にかかる可搬型太陽光発電装置の蓋部を開け、太陽電池パネルを開けた時の概略断面図である。
【図１１】この発明の他の実施形態にかかる可搬型太陽光発電装置の蓋部を開け、太陽電池パネルを開けた時の概略断面図である。
【図１２】この発明の他の実施形態にかかる可搬型太陽光発電装置の蓋部を開け、太陽電池パネルを開けた時の概略断面図である。
【図１３】この発明の他の実施形態の変形例にかかる可搬型太陽光発電装置の蓋部を開けた時の概略断面図である。
【図１４】この発明の他の実施形態の変形例にかかる可搬型太陽光発電装置の蓋部を開け、太陽電池パネルを開けた時の概略断面図である。
【図１５】この発明の他の実施形態の変形例にかかる可搬型太陽光発電装置の蓋部を開け、太陽電池パネルを開けた時の概略断面図である。
【図１６】この発明の他の実施形態の変形例にかかる可搬型太陽光発電装置の蓋部を開け、太陽電池パネルを開けた時の概略断面図である。
【図１７】この発明の異なる実施形態にかかる可搬型太陽光発電装置の使用状態の外観平面図である。
【図１８】この発明の異なる実施形態にかかる可搬型太陽光発電装置の使用状態の外観平面図である。
【図１９】この発明の異なる実施形態にかかる可搬型太陽光発電装置の使用状態の外観平面図である。
【発明を実施するための形態】
【００１７】
この発明の実施の形態について図面を参照しながら詳細に説明する。なお、図中同一または相当部分には同一符号を付し、説明の重複を避けるためにその説明は繰返さない。
【００１８】
図１〜図３に示す可搬型太陽光発電装置１は、トランク型のケース１０を有し、このケース１０は、本体部１０ａと蓋部１０ｂがヒンジ部１０ｃにて結合され、開閉自在に構成されている。本体部１０ａと蓋部１０ｂとを広げた場合、本体部１０ａの開口部と蓋部１０ｂの開口部が面一になるようにヒンジ部１０ｃが構成されている。
【００１９】
また、保管時、移動時などは本体部１０ａと蓋部１０ｂは閉じられ、バックル１０ｄにより、両者が固定される。
【００２０】
ケース１０の上部には、伸縮可能な取手１１が、ケース１０の下部には、ストッパ付きのキャスター１２が取り付けられている。この取手１１を持ち、キャスター１２を転がすことにより、ケース１０内に太陽電池パネル２１…、蓄電池等を内蔵した可搬型太陽光発電装置１を容易に移動できるように構成されている。受光面積を多くするために、大きな又は多くの太陽電池パネル２１…を内蔵して重量が嵩んでもキャスター１２より持ち運びが容易に行える。
【００２１】
上記の本体部１０ａ、蓋部１０ｂのそれぞれの開口部を塞ぐように太陽電池装置２を構成する太陽電池パネル２１、２２が取り付けられる。太陽電池パネル２１、２２は、開口部と面一または少し内部に凹んだ位置に取り付けられ、蓋部１０ｂを開いたときに太陽電池パネル２１、２２の受光面が本体部１０ａ、蓋部１０ｂにより陰になるのを極力少なくしている。
【００２２】
この太陽電池パネル２１、２２は、結晶系太陽電池、非晶質太陽電池などをガラスなどからなる透光性表面部材とフィルムなどからなる裏面部材の間に封止したパネルやシート状部材に太陽電池素子を設けたシート状太陽電池パネルなどを用いることができる。例えば、この太陽電池パネルは、１つのパネルで１３Ｗ〜３０Ｗ程度の出力を有し、この図１〜図３に示す例では、２つの太陽電池パネルを並列に接続し、後述する蓄電池へ充電時間が速くなるように構成している。また、後述するように、多くの太陽電池パネルを用いる場合には、所定数直列に接続した群を並列に接続し、所定の電圧で、充電電流を多くするように構成する。
【００２３】
図２に示すように、本体部１０ａに内蔵した太陽電池パネル２１を取り外した下側には、各種制御回路を備えた回路部３３と蓄電池３１及びインバーター３２を備えている。さらに、インバーター３２、制御回路等を冷却するためのファン３４を備えている。回路部３３に与えられた太陽電池パネル２１、２２からの出力は蓄電池３１への充電、並びにインバーター３２に与えられ、本装置を使用する各種負荷に電力が供給される。
【００２４】
これらの各種制御回路等は、図２〜図４に示すように、本体部１０ａ内部に、蓄電池３１、充電回路５１、放電回路５３、停電監視回路５４、ＤＣの出力回路５６、ＤＣ１２Ｖの出力回路５８、充電電池の充電回路６２、ＵＳＢ用の出力回路６５が設けられている。本体部１０ａ内の空間部１０ｖには、上記の回路に加えて、この装置で使用する電気機器、例えば照明灯、ラジオ、懐中電灯、ケーブル等も収納することができる。
【００２５】
図３に示すように、ケース１０の側面には、ＡＣ電源入力端子４１、蓄電池インジケータランプ４２、主電源スイッチ４３、ＡＣ出力用コンセント４４、ＤＣ出力部４５、４６、動作確認ランプ４７、ＵＳＢ出力端子４８が設置されている。また、図示はしないが、ヒューズホルダーが設けられ、ヒューズホルダーに、ヒューズが差込まれていて、このヒューズにより、過電流が防止される。
【００２６】
ＤＣ出力部４６は、例えば、ＤＣ１２Ｖの直流電源を出力し、円筒型の穴に蓋が設けられており、この蓋を開けてプラグを差し込んで使用する。ＤＣ出力端子４５は、例えば、充電電池を充電するための出力として用いられる。例えば、この出力端子４５に、充電池用ケースを接続し、このケースに充電用電池、例えば、ニッカド電池、ニッケル水素電池などを収容し、これらに電池に充電する。
【００２７】
この太陽光発電装置１の主たる機能は、蓄電池３１の充電と放電に分けられる。ここで使用する蓄電池４は、充電と放電が繰り返し可能な二次電池である。二次電池には鉛電池、ニッカド電池、ニッケル水素やリチウムイオン電池がある。この例では、鉛蓄電池を用いている。
【００２８】
充電は、太陽電池パネル２１、２２からなる太陽電池装置２を太陽光の下に置いて発電させ、生じた電流により蓄電池３１を充電する方法と、家庭用コンセント等から商用電源をＡＣ電源入力端子４１からＡＣ／ＤＣアダプター５２に与え、直流に変換された電流により蓄電池３１を充電する方法がある。
【００２９】
充電電流は、図４に示す回路ブロック図に基づいて説明すると、充電回路５１で適宜所定電圧、所定電流に調節され蓄電池３１に与えられ、蓄電池３１を充電する。同時に、充電回路５１は、蓄電池３１に電流を流すときに動作確認ランプ４７を点灯させる。蓄電池３１がほぼ満充電になると、動作確認ランプ４７は点滅する。
【００３０】
また、蓄電池３１を充電しない場合には、太陽電池装置２から発電した電力を充電回路５１、放電回路５３、ＤＣ出力回路５８、ＤＣ出力部５９、インバーター３２を経てＡＣ出力端子（コンセント）４４からＡＣ１００Ｖの出力が可能なように制御してもよい。
【００３１】
一方、放電は、放電電流が放電回路５３を経由して安定化し、各回路に供給して行われる。
【００３２】
ＤＣ出力回路５６は、放電回路５３より流れる電流の電圧を１２Ｖ、９Ｖ、６Ｖの何れかに切り換える。電圧の選択は、図示しない電圧切換スイッチで行う。このようにしてＤＣ出力端子５７から変換された所定の電圧を得ることができる。
【００３３】
ＤＣ出力回路５８では、放電回路５３より流れる電流の電圧を１２Ｖに切り換える。更に、ＤＣ１２Ｖの出力部５９の端子をインバーター３２に接続すると、電流をＤＣ１２ＶからＡＣ１００Ｖに変換でき、これによりインバーター３２のＡＣ出力端子４４からはＡＣ１００Ｖの電力が得られる。
【００３４】
充電電池充電回路６２では、放電回路６２より流れる電流の電圧を適宜変化させて、充電電池用出力端子６３に出力する。この端子６３に充電電池用充電ケース６４を接続し、ケース内に収容した充電電池を充電する。
【００３５】
この例における太陽光発電装置を用いて、太陽光により発電して蓄電池３１を充電する場合は、図１に示すように、本体部１０ａと蓋部１０ｂを開き、太陽電池パネル２１、２２を面一の状態にセットする。そして、太陽電池パネル２１、２２に太陽光にあてる。こうして、太陽電池パネル２１、２２にて発電された電流が充電回路５３に与えられ、蓄電池５１が充電される。
【００３６】
商用電源を用いて蓄電池３１を充電する場合は、コンセントにＡＣ／ＤＣケーブルを差し込み、他端をＡＣ電源入力端子４１に接続して、ＡＣ／ＤＣアダプター５２と商用電源とを接続する。そして、主電源をＯＮにすると、交流電流が直流電流に変換され、充電回路５１に与えられ、蓄電池３１が充電される。
【００３７】
ＤＣ１２Ｖ、ＤＣ９Ｖ、ＤＣ６Ｖの何れかの電流を使用するときは、電圧切換スイッチで電圧を設定し、ＤＣ出力端子５７にはプラグが設けられており、これをラジオ等の使用機器に供給電源として差し込む。
【００３８】
ＡＣ１００Ｖの電力を使用するときは、インバーター３２のＡＣ出力端子にＡＣ１００Ｖ機器のプラグを差し込む。主電源スイッチをＯＮにするとＡＣ１００Ｖ機器が使用できる。ＡＣ１００Ｖ機器としては照明灯やテレビ等、適宜のものがある。
【００３９】
上記の例では、蓄電池３１は、本体部１０ａの空間１０ｖに設けているが、蓋部１０ｂの空間１０ｖに更に蓄電池３１を設け、蓄電池３１の容量を増加させてもよい。
【００４０】
この太陽光発電装置によれば、以上説明したように、太陽が出ていない悪天候の日や夜間でもコンセントを電源として蓄電池の充電が可能である。
【００４１】
更に、太陽光発電装置一式をストッパ付きのキャスター１２が取り付けられたケース１０内に内蔵しているので、キャスター１２より持ち運びが容易に行える。また、保管時は、太陽電池パネル２１、２２はケース１０内に収納されているので、太陽電池パネルが他の部材と当たり破損する虞もない。
【００４２】
また、各電圧によるＤＣ電流の供給に加え、停電によって通常は使用不可能になったコンセントを電源とする電気機器を、上記の太陽光発電装置でＡＣ１００Ｖの使用が可能になるので、非常用の多機能携帯電源として用いることができる。特に、災害時において、その多機能性と携帯性により、情報を得るためのテレビやラジオ等の電源としたり、夜間における救助活動の照明機具等の電源としたり、人命に係わる事態に迅速に対応できる性能を有しているものであり、とりわけ地震等のように、災害時が長期に亘る場合においても、太陽光発電により、生活電源を確保することができる。
【００４３】
次に、この発明の実施形態につき更に説明する。上記した図１〜図４に示す装置は、本体部１０ａ、蓋部１０ｂの開口部を塞ぐように、それぞれ１枚の太陽電池パネル２１、２２が取り付けられている。この装置では、２枚の太陽電池パネル２１、２２での受光面積になる。太陽電池パネルの受光面積を多くすることで、更に、太陽電池装置２の発電能力が向上し、蓄電池３１への充電量が多くとれ、充電時間の短縮が図れる。そこで、図５〜図７に示す実施形態は、本体部１０ａ、蓋部１０ｂにそれぞれ２枚の太陽電池パネル２１…を内蔵し、図１〜図４の装置に比べ２倍の受光面積としている。
【００４４】
本体部１０ａに内蔵する太陽電池パネル２１、２３はヒンジ２０ａで折りたたみ可能に接続され、本体部１０ａの空間１０ｖ内に収容する際には、太陽電池パネル２１、２３の受光面側が向かい合うように折りたたまれる。
【００４５】
同様に、蓋部１０ｂに内蔵する太陽電池パネル２２、２４はヒンジ２０ａで折りたたみ可能に接続され、蓋部１０ｂの空間１０ｖ内に収容する際には、太陽電池パネル２２、２４の受光面側が向かい合うように折りたたまれる。
【００４６】
蓋部１０ｂを開き、折りたたんだ太陽電池パネルを広げた際に、それぞれの受光面が本体部１０ａ、蓋部１０ｂにより陰になるのを少なくすることが好ましい。このため、使用時には、本体部１０ａ、蓋部１０ｂの開口部と面一または開口部より上に太陽電池パネル２１〜２４が位置するように設置する。
【００４７】
また、蓋部１０ｂを閉じるためには、折りたたんだ太陽電池パネルが蓋部１０ｂ、本体部１０ａの開口部より内側に収容される必要がある。従って、蓋部１０ｂを広げた際に、本体部１０ａ、蓋部１０ｂ内に収容された太陽電池パネルを引き出すことになる。
【００４８】
この実施形態は、蓋部１０ｂを開けた際に、太陽電池パネルをそれぞれの開口部の上部に位置させ、折りたたんだ太陽電池パネルを広げると、簡単に本体部１０ａ、蓋部１０ｂの開口部と面一または開口部より上に太陽電池パネル２１〜２４を位置させることを可能にしたものである。このため、図６に示すように、本体部１０ａ、蓋部１０ｂの空間１０ｖ内に収容される太陽電池パネル２１〜２４の中で最も底に位置する太陽電池パネル２１、２２と本体部１０ａ、蓋部１０ｂの底部との間に弾性部材、この実施形態では圧縮バネ７１…を配置し、折りたたまれた太陽電池パネル２２、２４と２１、２３をそれぞれ開口部の方向（図中矢印方向）へ付勢する。
【００４９】
この圧縮バネ７１…の付勢力は、蓋部１０ａを開けた場合に、上側に折りたたまれた太陽電池パネル２３、２４が開口部と同じ高さか少し外側に位置する
強さにしている。そして、図７に示すように、折りたたまれた太陽電池パネル２１、２３を開くと、圧縮バネ７１…の付勢力により、太陽電池パネル２１、２２は開口部の方に押し上げられ、本体部１０ａ、蓋部１０ｂの開口部の上に太陽電池パネル２１〜２４が位置し、それぞれの受光面が本体部１０ａ、蓋部１０ｂにより陰になることを防いでいる。
【００５０】
また、使用後ケース１０内に太陽電池パネル２１〜２４を収容する場合には、太陽電池パネル２１の受光面側に太陽電池パネル２３の受光面を合わせるようにして折りたたむ。太陽電池パネル２１上に太陽電池パネル２３を折りたたんで載せることで、太陽電池パネル２１の重量に更に太陽電池パネル２３の重量が加えられ、圧縮バネ７１…の付勢力に抗して、本体部１０ａ内に太陽電池パネル２１、２３が収容される。
【００５１】
同様に、太陽電池パネル２２の受光面側に太陽電池パネル２４の受光面を合わせるようにして折りたたむ。太陽電池パネル２２上に太陽電池パネル２４を折りたたんで載せることで、太陽電池パネル２２の重量に更に太陽電池パネル２４の重量が加えられ、圧縮バネ７１…の付勢力に抗して、蓋部１０ｂ内に太陽電池パネル２２、２４が収容される。
【００５２】
その後、蓋部１０ｂを閉じて、バックルで本体部１０ａに蓋部１０ｂを固定することにより、太陽電池パネル２１…がケース１０内に収容された状態で保管することができる。
【００５３】
このように、太陽電池パネル２３、２４の重量を用いて、圧縮バネ７１…を伸縮させることできるので、太陽電池パネル２１…を広げる作業並びに収容する作業が容易に行える。
【００５４】
尚、図６及び図７には、空間部１０ｖ内に収容する回路装置、蓄電池等は省略しているが、図２、図４に示すのと同様の回路装置、蓄電池等が収容されている。
【００５５】
次に、この発明の他の実施形態につき更に説明する。上記した図５〜図７に示す装置は、本体部１０ａ、蓋部１０ｂに、それぞれ２枚ずつ太陽電池パネル２１、２３、２２、２４が取り付けられている。この装置では、４枚の太陽電池パネル２１〜２４での受光面積になる。図８〜図１２に示す実施形態は、本体部１０ａ、蓋部１０ｂにそれぞれ４枚の太陽電池パネル２１…を内蔵し、図５〜図７の装置に比べ２倍の受光面積としている。
【００５６】
この実施形態では、本体部１０ａ、蓋部１０ｂにそれぞれ４枚の太陽電池パネルを収容する。このため、この実施形態では、太陽電池パネルの厚み及び重量を少なくするために、シート状の太陽電池パネル２ｐを用いている。そして、シート状の太陽電池パネル２ｐを用いるので、このシート状太陽電池パネル２ｐを保護するために、シート状太陽電池パネル２ｐの周囲並びに裏面側にアルミや補強プラスチックなどからなるフレーム２ｆを取り付けて太陽電池パネル２１…を構成している。
【００５７】
各太陽電池パネル２１…間はヒンジ２０ａで接続され、折りたたみ可能に構成されている。
【００５８】
図９に示すように、本体部１０ａに内蔵する太陽電池パネル２１、２３、２５、２７はヒンジ２０ａで折りたたみ可能に接続され、本体部１０ａの空間１０ｖ内に収容する際には、太陽電池パネル２１、２３の受光面側が向かい合うように折りたたまれる。そして、太陽電池パネル２３の裏面側と太陽電池パネル２５の裏面側が向かい合うように折りたたまれる。更に、太陽電池パネル２５の受光面側と太陽電池パネル２７の受光面側が向かい合うように折りたたまれる。従って、本体部１０ａの開口部側には太陽電池パネル２７の裏面側が向いた状態で収容されることになる。
【００５９】
同様に、蓋部１０ｂに内蔵する太陽電池パネル２２、２４、２６、２８はヒンジ２０ａで折りたたみ可能に接続され、蓋部１０ｂの空間１０ｖ内に収容する際には、太陽電池パネル２２、２４の受光面側が向かい合うように折りたたまれる。そして、太陽電池パネル２４の裏面側と太陽電池パネル２６の裏面側が向かい合うように折りたたまれる。更に、太陽電池パネル２６の受光面側と太陽電池パネル２８の受光面側が向かい合うように折りたたまれる。従って、本体部１０ａの開口部側には太陽電池パネル２８の裏面側が向いた状態で収容されることになる。
【００６０】
蓋部１０ｂを開き、折りたたんだ太陽電池パネルを広げた際に、それぞれの受光面が本体部１０ａ、蓋部１０ｂにより陰になるのを少なくすることが好ましい。このため、使用時には、本体部１０ａ、蓋部１０ｂの開口部と面一または開口部より上に太陽電池パネル２１〜２８が位置するように設置する。
【００６１】
また、蓋部１０ｂを閉じるためには、折りたたんだ太陽電池パネルが蓋部１０ｂ、本体部１０ａの開口部より内側に収容される必要がある。従って、蓋部１０ｂを広げた際に、本体部１０ａ、蓋部１０ｂ内に収容された太陽電池パネルを引き出すことになる。
【００６２】
この実施形態は、蓋部１０ｂを開けた際に、太陽電池パネルをそれぞれの開口部の上部に位置させ、折りたたんだ太陽電池パネルを広げると、簡単に本体部１０ａ、蓋部１０ｂの開口部と面一または開口部より上に太陽電池パネル２１〜２８を位置させることを可能にしたものである。このため、図９に示すように、本体部１０ａ、蓋部１０ｂの空間１０ｖ内に収容される太陽電池パネル２１〜２８の中で最も底に位置する太陽電池パネル２１、２２と本体部１０ａ、蓋部１０ｂの底部との間に弾性部材、この実施形態では圧縮バネ７１…を配置し、折りたたまれた太陽電池パネル２１〜２８をそれぞれ開口部の方向へ付勢する。
【００６３】
この圧縮バネ７１…の付勢力は、蓋部１０ａを開けた場合に、上側に折りたたまれた最上部の太陽電池パネル２７、２８が開口部と同じ高さか少し外側に位置する強さにしている。
【００６４】
次に、本体部１０ａ、蓋部１０ｂに収容された太陽電池パネル２１〜２８を広げる場合につき説明する。本体部１０ａ、蓋部１０ｂも同様に開くので、図１０〜図１２は、蓋部１０ｂに収容された太陽電池パネル２２、２４、２６、２８について説明する。
【００６５】
図１０に示すように、折りたたまれた太陽電池パネル２８を開くと、圧縮バネ７１…の付勢力により、太陽電池パネル２２、２４、２６は開口部の方に押し上げられる。そして、蓋部１０ｂの開口部の上に太陽電池パネル２６、２８が位置し、次の太陽電池パネル２６を開く作業が容易な位置となる。
【００６６】
続いて、図１１に示すように、太陽電池パネル２６と２８を本体部１０ａ側に回転させる。そして、圧縮バネ７１…の付勢力により、太陽電池パネル２２、２４は開口部の方に押し上げられる。
【００６７】
その後、図１２に示すように、太陽電池パネル２４、２６と２８を本体部１０ａとは逆側に回転させる。そして、圧縮バネ７１…の付勢力により、太陽電池パネル２２は開口部の方に押し上げられる。更に、太陽電池パネル２４、２６と２８を回転させることにより、図８に示すように、太陽電池パネル２２、２４、２６、２８が蓋部１０ｂの開口部の上に開かれた状態で配置される。また、太陽電池パネル２４、２６、２８の裏面側には太陽電池パネルが地面などに傾斜しないように折りたたみ可能な脚部を設けても良い。ヒンジ２０ａで十分に面一に保持できる場合には必ずしも脚部は必要としない。
【００６８】
同様に本体部１０ａに収容された太陽電池パネル２１、２３、２５、２７を広げて、この実施形態の太陽光発電装置が使用可能となる。
【００６９】
また、使用後ケース１０内に太陽電池パネル２１〜２８を収容する場合には、上記した図１２、図１１、図１０の順序で折りたたむ。太陽電池パネルを順次折りたたんで載せることで、太陽電池パネルの重量に更に太陽電池パネルの重量が加えられ、圧縮バネ７１…の付勢力に抗して、本体部１０ａ、蓋部１０ｂ内に太陽電池パネル２１〜２８が収容される。
【００７０】
その後、蓋部１０ｂを閉じて、バックルで本体部１０ａに蓋部１０ｂを固定することにより、太陽電池パネル２１…がケース１０内に収容された状態で保管することができる。
【００７１】
このように、上に載せる太陽電池パネルの重量を用いて、圧縮バネ７１…を伸縮させることできるので、太陽電池パネル２１…を広げる作業並びに収容する作業が容易に行える。
【００７２】
尚、図９には、空間部１０ｖ内に収容する回路装置、蓄電池等は省略しているが、図２、図４に示すのと同様の回路装置、蓄電池等が収容されている。
【００７３】
次に、この発明の他の実施形態の変形例につき説明する。図８〜図１２に示す実施形態は、太陽電池パネルを１枚ずつ回転させて広げて４枚の太陽電池パネルを本体部１０ａと蓋部１０ｂの開口部と面一またはその上に設置する。これに対して、図１３〜図１６に示すものは、本体部１０ａ、蓋部１０ｂにそれぞれ４枚の太陽電池パネルを収容している点では同様であるが、太陽電池パネルの引き出しを一番上の太陽電池パネルを回転させたあと、横に引くことで太陽電池パネルを広げることが可能に構成したものである。
【００７４】
図１３に示すように、本体部１０ａに内蔵する太陽電池パネル２１、２３、２５、２７はヒンジ２０ａで折りたたみ可能に接続され、本体部１０ａの空間１０ｖ内に収容する際には、太陽電池パネル２１、２３の受光面側が向かい合うように折りたたまれる。そして、太陽電池パネル２３の裏面側と太陽電池パネル２５の裏面側が向かい合うように折りたたまれる。更に、太陽電池パネル２５の受光面側と太陽電池パネル２７の受光面側が向かい合うように折りたたまれる。従って、本体部１０ａの開口部側には太陽電池パネル２７の裏面側が向いた状態で収容されることになる。
【００７５】
同様に、蓋部１０ｂに内蔵する太陽電池パネル２２、２４、２６、２８はヒンジ２０ａで折りたたみ可能に接続され、蓋部１０ｂの空間１０ｖ内に収容する際には、太陽電池パネル２２、２４の受光面側が向かい合うように折りたたまれる。そして、太陽電池パネル２４の裏面側と太陽電池パネル２６の裏面側が向かい合うように折りたたまれる。更に、太陽電池パネル２６の受光面側と太陽電池パネル２８の受光面側が向かい合うように折りたたまれる。従って、本体部１０ａの開口部側には太陽電池パネル２８の裏面側が向いた状態で収容されることになる。
【００７６】
蓋部１０ｂを開き、折りたたんだ太陽電池パネルを広げた際に、それぞれの受光面が本体部１０ａ、蓋部１０ｂにより陰になるのを少なくすることが好ましい。このため、使用時には、本体部１０ａ、蓋部１０ｂの開口部と面一または開口部より上に太陽電池パネル２１〜２８が位置するように設置する。
【００７７】
また、蓋部１０ｂを閉じるためには、折りたたんだ太陽電池パネルが蓋部１０ｂ、本体部１０ａの開口部より内側に収容される必要がある。従って、蓋部１０ｂを広げた際に、本体部１０ａ、蓋部１０ｂ内に収容された太陽電池パネルを引き出すことになる。
【００７８】
この実施形態は、蓋部１０ｂを開けた際に、太陽電池パネルをそれぞれの開口部の上部に位置させ、折りたたんだ太陽電池パネルを広げると、簡単に本体部１０ａ、蓋部１０ｂの開口部と面一または開口部より上に太陽電池パネル２１〜２８を位置させることを可能にしたものである。このため、図１３に示すように、本体部１０ａ、蓋部１０ｂの空間１０ｖ内に収容される太陽電池パネル２１〜２８の中で最も底に位置する太陽電池パネル２１、２２と本体部１０ａ、蓋部１０ｂの底部との間に弾性部材、この実施形態ではトーションバースプリング７２…が配置され、折りたたまれた太陽電池パネル２１〜２８をそれぞれ開口部の方向へ付勢する。そして、本体部１０ａ、蓋部１０ｂの開口部には、本体部１０ａ、蓋部１０ｂに収容された太陽電池パネル２１…が飛び出さないようにロック部材１０ｒが設けられている。このロック部材１０ｒにより、本体部１０ａ、蓋部１０ｂに太陽電池パネル２１…を収容した際には、トーションバースプリング７２の付勢力に抗して、太陽電池パネル２１…を空間１０ｖ内に保持させている。
【００７９】
このトーションバースプリング７２…の付勢力は、蓋部１０ａを開け、ロック部材１０ｒのロックを外した場合に、最下部の太陽電池パネル２１、２２が開口部と同じ高さか少し外側に位置する強さにしている。
【００８０】
次に、本体部１０ａ、蓋部１０ｂに収容された太陽電池パネル２１〜２８を広げる場合につき説明する。本体部１０ａ、蓋部１０ｂも同様に開くので、蓋部１０ｂに収容された太陽電池パネル２２、２４、２６、２８を中心として説明する。
【００８１】
図１４に示すように、ロック部材１０ｒのロックを解放すると、トーションバースプリング７２の付勢力により、折りたたまれた太陽電池パネル２１〜２８は開口部の方に押し上げられる。そして、本体部１０ａ、蓋部１０ｂの開口部の上に太陽電池パネル２１〜２８が位置し、太陽電池パネルを開く作業が容易な位置となる。
【００８２】
続いて、図１５に示すように、太陽電池パネル２８を１８０度回転させ、その後、この太陽電池パネル２８を図中矢印Ｐ方向に引っ張る。太陽電池パネル２８を引っ張ることにより、ヒンジ２０ａにより、各太陽電池パネル２６、２４は回転しながら、図中矢印Ｐ方向に引き出される。
【００８３】
そして、図１６に示すように、太陽電池パネル２２と太陽電池パネル２１が面一になった状態で太陽電池パネルの引き出し作業が終了する。図８に示すように、太陽電池パネル２２、２４、２６、２８が蓋部１０ｂの開口部の上に開かれた状態で配置される。また、太陽電池パネル２４、２６、２８の裏面側には太陽電池パネルが地面などに傾斜しないように折りたたみ可能な脚部を設けても良い。ヒンジ２０ａで十分に面一に保持できる場合には必ずしも脚部は必要としない。
【００８４】
同様に本体部１０ａに収容された太陽電池パネル２１、２３、２５、２７を広げて、この実施形態の太陽光発電装置が使用可能となる。
【００８５】
また、使用後ケース１０内に太陽電池パネル２１〜２８を収容する場合には、最も端の太陽電池パネル２８から順次折りたたみ、図１４に示す状態にする。そして、一番上の太陽電池パネルの裏面を押し込んで、トーションバースプリング７２…の付勢力の、本体部１０ａ、蓋部１０ｂ内に太陽電池パネル２１〜２８を収容し、ロック部材１０ｒによりロックする。
【００８６】
その後、蓋部１０ｂを閉じて、バックルで本体部１０ａに蓋部１０ｂを固定することにより、太陽電池パネル２１…がケース１０内に収容された状態で保管することができる。
【００８７】
このように、トーションバースプリング７２の付勢力で太陽電池パネル２１〜２８を本体部１０ａ、蓋部１０ｂの上に移動させるので、太陽電池パネル広げる作業が容易に行える。
【００８８】
次に、この発明の更に異なる実施形態につき説明する。図１７に示す装置は、本体部１０ａ、蓋部１０ｂの開口部を塞ぐように、それぞれ６枚ずつ太陽電池パネル２１〜３２が取り付けられている。この装置では、１２枚の太陽電池パネル２１〜３２での受光面積になる。
【００８９】
図１８に示す実施形態は、４枚の太陽電池パネルを上下に配列して８枚の太陽電池パネルで太陽電池発電装置を構成した場合である。本体部１０ａには、太陽電池パネル２１１、２１２、２１３及び２１４の４枚のパネルが収容され、蓋部１０ｂには、太陽電池パネル２２１、２２２、２２３及び２２４の４枚のパネルが収容される。各太陽電池パネルは、ヒンジ２０ａで折りたたみ可能に接続されている。
【００９０】
このように上下に太陽電池パネルを配置することで、横に広くスペースをとれない場所でも設置が可能となる。
【００９１】
図１９に示す４枚の太陽電池パネルを上下３列配置して１２枚の太陽電池パネルで太陽電池発電装置を構成した場合である。本体部１０ａには、太陽電池パネル２１１、２１２、２１３、２１４、２１５及び２１６の６枚のパネルが収容され、蓋部１０ｂには、太陽電池パネル２２１、２２２、２２３、２２４、２２５及び２２６の６枚のパネルが収容される。各太陽電池パネルは、ヒンジ２０ａで折りたたみ可能に接続されている。
【００９２】
このように上下に太陽電池パネルを配置することで、横に広くスペースをとれない場所でも設置が可能となる。
【００９３】
また、上下左右に多くの太陽電池パネルを配置する場合には、いわゆるミウラ折り(登録商標)になるようなヒンジとパネルの配置を考慮することで、太陽電池パネルの広げる場合と収容する際の作業が更に容易になる。
【００９４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００９５】
１  可搬型太陽光発電装置
１０  ケース
１０ａ  本体部
１０ｂ蓋部
１０ｃ  ヒンジ部
１１  取手
１２  キャスター
２１〜２８  太陽電池パネル
２０ａ  ヒンジ
７１  圧縮バネ
７２  トーションバースプリング
【図１】
2013153008.tif 000003
【図２】
2013153008.tif 000004
【図３】
2013153008.tif 000005
【図４】
2013153008.tif 000006
【図５】
2013153008.tif 000007
【図６】
2013153008.tif 000008
【図７】
2013153008.tif 000009
【図８】
2013153008.tif 000010
【図９】
2013153008.tif 000011
【図１０】
2013153008.tif 000012
【図１１】
2013153008.tif 000013
【図１２】
2013153008.tif 000014
【図１３】
2013153008.tif 000015
【図１４】
2013153008.tif 000016
【図１５】
2013153008.tif 000017
【図１６】
2013153008.tif 000018
【図１７】
2013153008.tif 000019
【図１８】
2013153008.tif 000020
【図１９】
2013153008.tif 000021